(57)【要約】【課題】簡易に、かつ訪問先の電子機器に認証情報を残さずに宅間接続を構築する。【解決手段】接続要求端末１０は、予め接続先のゲートウェイ装置３１−１への接続に供するアクセス情報を記憶しており、当該アクセス情報を用いて、接続元のゲートウェイ装置３１−２と接続先ゲートウェイ装置３１−１との接続を要求する接続要求を生成する。また、接続先のゲートウェイ装置３１−１は、接続要求が宅間接続システムによって生成されたものである場合に、接続元ゲートウェイ装置３１−２との接続を許可する。【選択図】図１
2012010291.tif 000002
【特許請求の範囲】
【請求項１】
接続要求端末を含む宅間接続要求システムと、接続元ゲートウェイ装置と、接続先ゲートウェイ装置と備える宅間接続システムであって、
前記接続要求端末は、
前記接続先ゲートウェイ装置への接続に供するアクセス情報を記憶するアクセス情報記憶部と、
前記接続元ゲートウェイ装置を介して、当該接続元ゲートウェイ装置と前記アクセス情報記憶部が記憶するアクセス情報が示すゲートウェイ装置との接続を要求する接続要求を、送信する接続要求送信部と
を備え、
前記接続先ゲートウェイ装置は、
前記接続要求を受信する接続要求受信部と、
前記接続要求が、前記宅間接続システムによって生成されたものであるか否かを判定する接続要求判定部と、
前記接続要求判定部が、前記接続要求が前記宅間接続システムによって生成されたものであると判定した場合に、当該接続要求が示す接続元ゲートウェイ装置との接続を許可する接続許可部と
を備えることを特徴とする宅間接続システム。
【請求項２】
前記宅間接続要求端末は、
前記接続先ゲートウェイ装置と接続し、当該接続先ゲートウェイ装置への接続に供するアクセス情報を取得するアクセス情報取得部と、
前記アクセス情報取得部が取得したアクセス情報を前記アクセス情報記憶部に記録するアクセス情報記録部と
を備えることを特徴とする請求項１に記載の宅間接続システム。
【請求項３】
前記宅間接続システムは、更に接続要求サーバ装置を備え、
前記接続要求端末の接続要求送信部は、前記接続先ゲートウェイ装置のアクセス情報を含む接続要求を、前記接続元ゲートウェイ装置を介して前記接続要求サーバ装置に送信し、
前記接続元ゲートウェイ装置は、前記接続要求を前記接続要求サーバに転送する際に、自装置のアクセス情報を前記接続要求に付加するアクセス情報付加部を備え、
前記接続要求サーバ装置は、
前記接続要求端末から前記接続要求を受信する接続要求受信部と、
前記接続要求受信部が受信した接続要求から前記接続先ゲートウェイ装置及び前記接続元ゲートウェイ装置のアクセス情報を読み出す接続元アクセス情報読出部と、
前記接続元アクセス情報読出部が読み出したアクセス情報を用いて、前記接続元ゲートウェイ装置と前記接続先ゲートウェイ装置との接続を要求する接続要求を、前記接続元ゲートウェイ装置に送信する接続要求送信部と
を備え、
前記接続元ゲートウェイ装置の接続要求判定部は、自装置の接続要求受信部が受信した接続要求の送信元が、前記接続要求サーバである場合に、前記接続要求が前記宅間接続システムによって生成されたものであると判定する
ことを特徴とする請求項１に記載の宅間接続システム。
【請求項４】
前記接続要求端末は、
前記接続先ゲートウェイ装置を介して前記接続要求サーバ装置に、当該接続先ゲートウェイ装置を接続先に設定することを要求する接続先設定要求を送信する設定要求送信部と、
前記接続要求サーバ装置から、前記接続先ゲートウェイ装置への接続に供するアクセス情報を取得するアクセス情報取得部と、
前記アクセス情報取得部が取得したアクセス情報を前記アクセス情報記憶部に記録するアクセス情報記録部と
を備え、
前記接続先ゲートウェイ装置は、前記接続先設定要求を転送する際に、自装置のアクセス情報を当該接続先設定要求に付加するアクセス情報付加部を備え、
前記接続要求サーバ装置は、
前記接続要求端末から接続先ゲートウェイ装置を介して前記接続先設定要求を受信する設定要求受信部と、
前記設定要求受信部が受信した接続先設定要求から前記接続先ゲートウェイ装置のアクセス情報を読み出す接続先アクセス情報読出部と、
前記接続先アクセス情報読出部が読み出したアクセス情報を、前記接続要求端末に送信するアクセス情報送信部と
を備えることを特徴とする請求項３に記載の宅間接続システム。
【請求項５】
前記接続要求サーバ装置は、
前記接続先ゲートウェイ装置のアクセス情報と、当該接続元ゲートウェイ装置のネットワーク上の所在を示すアドレス情報とを関連付けて記憶する接続先情報データベースを備え、
前記接続要求送信部は、前記接続先情報データベースから前記接続元アクセス情報読出部が読み出したアクセス情報に関連付けられたアドレス情報を読み出し、当該アドレス情報を用いて、前記接続要求を前記接続元ゲートウェイ装置に送信する
ことを特徴とする請求項３または請求項４に記載の宅間接続システム。
【請求項６】
前記接続先ゲートウェイ装置及び／または前記接続元ゲートウェイ装置は、自装置に割り当てられたアドレス情報を前記接続要求サーバ装置に通知するアドレス通知部を備え、
前記接続要求サーバ装置は、前記接続先ゲートウェイ装置及び／または前記接続元ゲートウェイ装置から通知されたアドレス情報を、当該アドレス情報の通知元の前記接続先ゲートウェイ装置または前記接続元ゲートウェイ装置のアクセス情報に関連付けて、前記接続先情報データベースに登録または更新するゲートウェイ管理部を備える
ことを特徴とする請求項５に記載の宅間接続システム。
【請求項７】
前記接続先ゲートウェイ装置への接続に供するアクセス情報を記憶するアクセス情報記憶部を備える接続要求端末を含む宅間接続要求システムと、接続元ゲートウェイ装置と、接続先ゲートウェイ装置と備える宅間接続システムを用いた宅間接続システム方法であって、
前記接続要求端末の接続要求送信部は、前記接続元ゲートウェイ装置を介して、当該接続元ゲートウェイ装置と前記アクセス情報記憶部が記憶するアクセス情報が示すゲートウェイ装置との接続を要求する接続要求を送信し、
前記接続先ゲートウェイ装置の接続要求受信部は、前記接続要求を受信し、
前記接続先ゲートウェイ装置の接続要求判定部は、前記接続要求が、前記宅間接続システムによって生成されたものであるか否かを判定し、
前記接続先ゲートウェイ装置の接続許可部は、前記接続要求判定部が、前記接続要求が前記宅間接続システムによって生成されたものであると判定した場合に、当該接続要求が示す接続元ゲートウェイ装置との接続を許可する
ことを特徴とする宅間接続方法。
【請求項８】
接続元ゲートウェイ装置と接続先ゲートウェイ装置との接続に供する接続要求端末であって、
前記接続先ゲートウェイ装置への接続に供するアクセス情報を記憶するアクセス情報記憶部と、
前記接続元ゲートウェイ装置を介して、当該接続元ゲートウェイ装置と前記アクセス情報記憶部が記憶するアクセス情報が示すゲートウェイ装置との接続を要求する接続要求を、送信する接続要求送信部と
を備えることを特徴とする接続要求端末。
【請求項９】
前記接続先ゲートウェイ装置への接続に供するアクセス情報を記憶するアクセス情報記憶部を備える接続元ゲートウェイ装置と接続先ゲートウェイ装置との接続に供する接続要求端末を、
前記接続元ゲートウェイ装置を介して、当該接続元ゲートウェイ装置と前記アクセス情報記憶部が記憶するアクセス情報が示すゲートウェイ装置との接続を要求する接続要求を送信する接続要求送信部
として機能させるためのプログラム。
【請求項１０】
宅間接続要求システムによって接続元ゲートウェイ装置との接続を行う接続先ゲートウェイ装置であって、
自装置と前記接続元ゲートウェイ装置との接続を要求する接続要求を受信する接続要求受信部と、
前記接続要求が、前記宅間接続システムによって生成されたものであるか否かを判定する接続要求判定部と、
前記接続要求判定部が、前記接続要求が前記宅間接続システムによって生成されたものであると判定した場合に、当該接続要求が示す接続元ゲートウェイ装置との接続を許可する接続許可部と
を備えることを特徴とする接続先ゲートウェイ装置。
【発明の詳細な説明】
【技術分野】
【０００１】
本発明は、接続要求端末を含む宅間接続要求システムと、接続元ゲートウェイ装置と、接続先ゲートウェイ装置と備える宅間接続システム、宅間接続方法、接続要求端末、接続先ゲートウェイ装置、及びプログラムに関する。
【背景技術】
【０００２】
近年、ホームネットワーク及びホームネットワークを利用したサービスが広まりつつある。ホームネットワークとは、宅内の電子機器及び電子制御可能な機器をネットワークによって接続し、当該ネットワークを介して各機器を制御できるようにしたネットワークシステムである。ホームネットワークに接続される機器の例としては、テレビ、ＨＤＤ（Ｈａｒｄ  Ｄｉｓｋ  Ｄｒｉｖｅ）レコーダ（録画機）、デジタルカメラ、デジタルビデオカメラ、ＰＣ（Ｐｅｒｓｏｎａｌ  Ｃｏｍｐｕｔｅｒ）などの電子機器や、エアコン、照明、自動温水器などの電子機器・デジタル家庭電化製品のほか、カーテンや鍵の開閉を電子制御できるようにしたものも挙げられる。
【０００３】
このようなホームネットワークを構築・利用することにより、ユーザによる遠隔操作ができるようになるだけでなく、宅外のサービス事業者による遠隔制御・管理サービス、宅内環境の変化に伴う自動制御もできるようになる。
また、ホームネットワークの広まりに伴い、ホームネットワーク同士を接続し（宅間接続）、外出先からも自宅のホームネットワークを利用したいという要求がある。例えば、自宅のＨＤＤレコーダやＰＣに保存された映像、音楽、写真、書類などの情報を、外出先の宅内機器を利用して閲覧したいという要求がある。
【０００４】
ここで、特許文献１、特許文献２には、ホームネットワーク同士を接続する方法が開示されている。
特許文献１には、２台のゲートウェイ装置間をＰ２Ｐ（Ｐｅｅｒ  ｔｏ  Ｐｅｅｒ）で接続することでホームネットワーク同士を接続する技術が開示されている。具体的には、以下に示す処理を実行することで２台のゲートウェイ装置間を接続する。
受信側端末は、機器ＩＤ（Ｉｄｅｎｔｉｆｉｃａｔｉｏｎ）、ＩＰ（Ｉｎｔｅｒｎｅｔ  Ｐｒｏｔｏｃｏｌ）アドレス、ポート番号の組をサーバ装置に定期的に通知する。サーバ装置は、これらの組を受信し、関連付けて登録する。その後、発信側端末が発信側端末及び受信側端末の機器ＩＤをサーバ装置に通知すると、サーバ装置は、機器ＩＤを検索し、双方の端末を判別する。そして、サーバ装置は、受信側端末に問い合わせを行い、受信側の了承を得た後に、自装置を介して互いの端末の接続処理を行う。
【０００５】
また、特許文献２には、サーバを経由せずに２つの機器を接続することでサーバ装置の負荷を軽減する技術が開示されている。具体的には、以下に示す処理を実行することで、２つの機器を接続する。
各機器は、定期的にアドレス情報等の機器情報をサーバ装置に通知する。サーバ装置は、通知された情報を記憶しておく。各機器がサーバ装置に接続したい機器の問い合わせを行うと、サーバ装置は、問い合わせが示す機器との接続を仲介すると共に、接続相手のＩＰアドレスを通知する。これにより接続を確立した機器は、接続相手のＩＰアドレスがグローバルＩＰアドレスを有する場合は、接続方法をＰ２Ｐ接続に切り替え、プライベートＩＰアドレスであればサーバ装置を介しての接続を継続する。
【先行技術文献】
【特許文献】
【０００６】
【特許文献１】特開２００５−３１１７４７号公報
【特許文献２】特開２００３−２０３０２３号公報
【発明の概要】
【発明が解決しようとする課題】
【０００７】
しかしながら、訪問先の機器を操作して当該機器と自宅のホームネットワークとの宅間接続を実行する場合、自宅のホームネットワークへの接続に用いる情報が訪問先の機器に残ってしまう惧れがある。ここで、自宅のホームネットワークへの接続に用いる情報とは、例えば、認証ＩＤ及びパスワード、証明書情報、自宅ホームネットワークへの接続先設定情報等が挙げられる。
【０００８】
特許文献１、特許文献２に記載の技術を用いて宅間接続を試みる場合、訪問先の機器に自宅の機器の機器ＩＤを入力する必要がある。そのため、訪問先の機器に、自宅のホームネットワークとの接続に用いる情報が残ってしまうこととなる。
訪問先の機器に自宅のホームネットワークへの接続に用いる情報が残ると、訪問先のユーザは、当該情報を用いることで、勝手に自宅ホームネットワークに接続することができてしまう。
この場合、訪問先の機器との接続後に、自宅のホームネットワークの設定を変更することで、訪問先のユーザによる勝手な接続を防止することができるが、宅間接続の度に設定の変更を行うことは、ユーザの利便性を大きく損なうこととなる。
【課題を解決するための手段】
【０００９】
本発明は上記の課題を解決するためになされたものであり、接続要求端末を含む宅間接続要求システムと、接続元ゲートウェイ装置と、接続先ゲートウェイ装置と備える宅間接続システムであって、前記接続要求端末は、前記接続先ゲートウェイ装置への接続に供するアクセス情報を記憶するアクセス情報記憶部と、前記接続元ゲートウェイ装置を介して、当該接続元ゲートウェイ装置と前記アクセス情報記憶部が記憶するアクセス情報が示すゲートウェイ装置との接続を要求する接続要求を、送信する接続要求送信部とを備え、前記接続先ゲートウェイ装置は、前記接続要求を受信する接続要求受信部と、前記接続要求が、前記宅間接続システムによって生成されたものであるか否かを判定する接続要求判定部と、前記接続要求判定部が、前記接続要求が前記宅間接続システムによって生成されたものであると判定した場合に、当該接続要求が示す接続元ゲートウェイ装置との接続を許可する接続許可部とを備えることを特徴とする。
【００１０】
また、本発明は、前記接続先ゲートウェイ装置への接続に供するアクセス情報を記憶するアクセス情報記憶部を備える接続要求端末を含む宅間接続要求システムと、接続元ゲートウェイ装置と、接続先ゲートウェイ装置と備える宅間接続システムを用いた宅間接続システム方法であって、前記接続要求端末の接続要求送信部は、前記接続元ゲートウェイ装置を介して、当該接続元ゲートウェイ装置と前記アクセス情報記憶部が記憶するアクセス情報が示すゲートウェイ装置との接続を要求する接続要求を送信し、前記接続先ゲートウェイ装置の接続要求受信部は、前記接続要求を受信し、前記接続先ゲートウェイ装置の接続要求判定部は、前記接続要求が、前記宅間接続システムによって生成されたものであるか否かを判定し、前記接続先ゲートウェイ装置の接続許可部は、前記接続要求判定部が、前記接続要求が前記宅間接続システムによって生成されたものであると判定した場合に、当該接続要求が示す接続元ゲートウェイ装置との接続を許可することを特徴とする。
【００１１】
また、本発明は、接続元ゲートウェイ装置と接続先ゲートウェイ装置との接続に供する接続要求端末であって、前記接続先ゲートウェイ装置への接続に供するアクセス情報を記憶するアクセス情報記憶部と、前記接続元ゲートウェイ装置を介して、当該接続元ゲートウェイ装置と前記アクセス情報記憶部が記憶するアクセス情報が示すゲートウェイ装置との接続を要求する接続要求を、送信する接続要求送信部とを備えることを特徴とする。
【００１２】
また、本発明は、前記接続先ゲートウェイ装置への接続に供するアクセス情報を記憶するアクセス情報記憶部を備える接続元ゲートウェイ装置と接続先ゲートウェイ装置との接続に供する接続要求端末を、前記接続元ゲートウェイ装置を介して、当該接続元ゲートウェイ装置と前記アクセス情報記憶部が記憶するアクセス情報が示すゲートウェイ装置との接続を要求する接続要求を送信する接続要求送信部として機能させるためのプログラムである。
【００１３】
また、本発明は、宅間接続要求システムによって接続元ゲートウェイ装置との接続を行う接続先ゲートウェイ装置であって、自装置と前記接続元ゲートウェイ装置との接続を要求する接続要求を受信する接続要求受信部と、前記接続要求が、前記宅間接続システムによって生成されたものであるか否かを判定する接続要求判定部と、前記接続要求判定部が、前記接続要求が前記宅間接続システムによって生成されたものであると判定した場合に、当該接続要求が示す接続元ゲートウェイ装置との接続を許可する接続許可部とを備えることを特徴とする。
【発明の効果】
【００１４】
本発明によれば、接続要求端末は、接続先ゲートウェイ装置への接続に供するアクセス情報を記憶している。そして、接続要求端末は、当該アクセス情報を用いて、接続元ゲートウェイ装置と接続先ゲートウェイ装置との接続を要求する接続要求を生成する。また、接続先ゲートウェイ装置は、接続要求が宅間接続システムによって生成されたものである場合に、接続元ゲートウェイ装置との接続を許可する。
これにより、接続元ゲートウェイ装置に接続された機器に対してアクセス情報の入力を行うことなく、接続元ゲートウェイ装置と接続先ゲートウェイ装置とを接続することができる。そのため、簡易に、かつ接続元ゲートウェイ装置に接続された機器に認証情報を残さずに宅間接続を構築することができる。
【図面の簡単な説明】
【００１５】
【図１】本発明の第１の実施形態による宅間接続システムの構成図である。
【図２】本発明の第１の実施形態による宅間接続システムの各装置の構成を示す概略ブロック図である。
【図３】第１の実施形態による宅間接続システムの動作を示すシーケンス図である。
【図４】ゲートウェイ装置がＮＡＰＴ処理を実行する場合における宅間接続システムの動作を示すシーケンス図である。
【図５】第２の実施形態による宅間接続システムの各装置の構成を示すブロック図である。
【図６】第２の実施形態による宅間接続システムの動作を示すシーケンス図である。
【図７】第３の実施形態による宅間接続システムの各装置の構成を示すブロック図である。
【図８】第３の実施形態による宅間接続システムの動作を示すシーケンス図である。
【図９】第４の実施形態による宅間接続システムの各装置の構成を示すブロック図である。
【図１０】第４の実施形態による宅間接続システムの動作を示すシーケンス図である。
【図１１】第５の実施形態による宅間接続システムの各装置の構成を示すブロック図である。
【図１２】アクセス情報記憶部が記憶する情報の一例を示す図である。
【図１３】第５の実施形態による宅間接続システムの動作を示す第１のシーケンス図である。
【図１４】第５の実施形態による宅間接続システムの動作を示す第２のシーケンス図である。
【図１５】第６の実施形態による宅間接続システムの各装置の構成を示すブロック図である。
【図１６】第６の実施形態による宅間接続システムの動作を示すシーケンス図である。
【発明を実施するための形態】
【００１６】
＜第１の実施形態＞
以下、図面を参照しながら本発明の第１の実施形態について詳しく説明する。
図１は、本発明の第１の実施形態による宅間接続システムの構成図である。
宅間接続システムは、接続要求端末１０、接続要求サーバ装置２０、ホームネットワーク３０−１、３０−２（以下、ホームネットワーク３０−１、３０−２を総称する場合、ホームネットワーク３０と表記する）を備える。なお、本明細書では、ホームネットワーク３０−１を、ユーザの自宅のホームネットワーク等の接続先ホームネットワークとし、ホームネットワーク３０−２を、外出先のホームネットワーク等の接続元ホームネットワークとして説明する。
【００１７】
接続要求サーバ装置２０とホームネットワーク３０とは、公共通信網４０を介して互いに接続されている。但し、ホームネットワーク３０はプライベートネットワークであり、外部からホームネットワーク３０内の機器へアクセスするには、ホームネットワーク３０が備えるゲートウェイ装置３１−１、３１−２の許可が必要となる。
接続要求端末１０及び接続要求サーバ２０装置は、協働することで、ホームネットワーク３０−１に対してホームネットワーク３０−２との接続を要求する接続要求システムとして動作する。
【００１８】
ホームネットワーク３０−１は、ゲートウェイ装置３１−１（接続先ゲートウェイ装置）、電子機器３２−１を備える。ゲートウェイ装置３１−１は、公共通信網４０と電子機器３２−１とを接続する。また、ゲートウェイ装置３１−１は、公共通信網４０を介した電子機器３２−１へのアクセスの可否を決定する。
電子機器３２−１は、ゲートウェイ装置３１−１を介することで、ホームネットワーク３０−１内の他の電子機器３２−１、または公共通信網４０と接続できる。
また、ホームネットワーク３０−２は、ホームネットワーク３０−１と同様に、ゲートウェイ装置３１−２（接続元ゲートウェイ装置）、電子機器３２−２を備える。なお、以下、ゲートウェイ装置３１−１、ゲートウェイ装置３１−２を総称する場合は、ゲートウェイ装置３１と表記する。
【００１９】
図２は、本発明の第１の実施形態による宅間接続システムの各装置の構成を示す概略ブロック図である。
接続要求端末１０は、設定要求送信部１０１、アクセス情報取得部１０２、アクセス情報記録部１０３、アクセス情報記憶部１０４、接続要求送信部１０５を備える。
設定要求送信部１０１は、接続先のゲートウェイ装置であるゲートウェイ装置３１−１を介して、接続要求サーバ装置２０に、ゲートウェイ装置３１−１を宅間接続の接続先に設定することを要求する接続先設定要求を送信する。
アクセス情報取得部１０２は、ゲートウェイ装置３１−１を介して、接続要求サーバ装置２０からゲートウェイ装置３１−１のアクセス情報を取得する。ここで、アクセス情報とは、ゲートウェイ装置３１への接続に供する情報であって、ゲートウェイ装置３１のＩＰアドレス、ＩＰｖ６（Ｉｎｔｅｒｎｅｔ  Ｐｒｏｔｏｃｏｌ  ｖｅｒｓｉｏｎ  ６）ネットワークプレフィックス、ゲートウェイ装置３１に付与されたＵＲＬ（Ｕｎｉｑｕｅ  Ｒｅｓｏｕｒｃｅ  Ｌｏｃａｔｅｒ）、ＵＲＩ（Ｕｎｉｑｕｅ  Ｒｅｓｏｕｒｃｅ  Ｉｄｅｎｔｉｆｉｅｒ）、ゲートウェイ装置３１の機器ＩＤ（製造ベンダ情報、製品コード、シリアル番号を含む）などが挙げられる。
アクセス情報記録部１０３は、アクセス情報取得部１０２が取得したアクセス情報をアクセス情報記憶部１０４に記録する。
アクセス情報記憶部１０４は、アクセス情報を記憶する。
接続要求送信部１０５は、接続元ゲートウェイ装置３１−２を介して、接続元ゲートウェイ装置３１−２とアクセス情報記憶部１０４が記憶するアクセス情報が示すゲートウェイ装置３１との接続を要求する接続要求を、接続要求サーバ装置２０に送信する。当該接続要求は、アクセス情報記憶部１０４が記憶するアクセス情報、すなわちゲートウェイ装置３１−１のアクセス情報を含む。
【００２０】
ゲートウェイ装置３１は、転送部３１１、アクセス情報付加部３１２、接続要求受信部３１３、接続要求判定部３１４、接続許可部３１５を備える。
転送部３１１は、接続要求端末１０からホームネットワーク３０外に送信する情報を取得し、当該情報の転送を行う。
アクセス情報付加部３１２は、転送部３１１によって転送される情報に、自装置のアクセス情報を付加する。
接続要求受信部３１３は、公共通信網を介して、他のゲートウェイ装置３１との接続を要求する接続要求を受信する。
接続要求判定部３１４は、接続要求受信部３１３が受信した接続要求の送信元が接続要求サーバ装置であるか否かを判定することで、接続要求が接続要求サーバ装置２０によって生成されたものであるか否かを判定する。
接続許可部３１５は、接続要求判定部３１４が、接続要求が接続要求サーバ装置２０によって生成されたものであると判定した場合に、当該接続要求が示すゲートウェイ装置３１との接続を許可する。なお、ゲートウェイ装置３１同士を接続するプロトコルとしては、ＰＰＴＰ（Ｐｏｉｎｔ−ｔｏ−Ｐｏｉｎｔ  Ｔｕｎｎｅｌｉｎｇ  Ｐｒｏｔｏｃｏｌ）、Ｌ２ＴＰ（Ｌａｙｅｒ−２  Ｔｕｎｎｅｌｉｎｇ  Ｐｒｏｔｏｃｏｌ）、ＳＳＬ−ＶＰＮ（Ｓｅｃｕｒｅ  Ｓｏｃｋｅｔ  Ｌａｙｅｒ／Ｖｅｒｔｕａｌ  Ｐｒｉｖａｔｅ  Ｎｅｔｗｏｒｋ）、ＥｔｈｅｒＩＰ（Ｅｔｈｅｒｎｅｔ（登録商標）  ｏｖｅｒ  ＩＰ）等が挙げられる。
【００２１】
接続要求サーバ装置２０は、設定要求受信部２０１、接続先アクセス情報読出部２０２、アクセス情報送信部２０３、接続要求受信部２０４、接続元アクセス情報読出部２０５、接続要求送信部２０６を備える。
設定要求受信部２０１は、接続要求端末１０からゲートウェイ装置３１−１を介して接続先設定要求を受信する。なお、当該接続先設定要求には、ゲートウェイ装置３１−１のアクセス情報付加部３１２によってゲートウェイ装置３１−１のアクセス情報が付加されている。
接続先アクセス情報読出部２０２は、設定要求受信部２０１が受信した接続先設定要求からゲートウェイ装置３１−１のアクセス情報を読み出す。
アクセス情報送信部２０３は、接続先アクセス情報読出部２０２が読み出したアクセス情報を、接続要求端末１０に送信する。
接続要求受信部２０４は、接続要求端末１０からゲートウェイ装置３１−２を介して接続要求を受信する。なお、当該接続先設定要求には、ゲートウェイ装置３１−２のアクセス情報付加部３１２によってゲートウェイ装置３１−２のアクセス情報が付加されている。
接続元アクセス情報読出部２０５は、接続要求受信部２０４が受信した接続要求からゲートウェイ装置３１−１、３１−２のアクセス情報を読み出す。
接続要求送信部２０６は、接続元アクセス情報読出部２０５が読み出したアクセス情報を用いて、ゲートウェイ装置３１−１とゲートウェイ装置３１−２との接続を要求する接続要求を、ゲートウェイ装置３１−１、３１−２に送信する。
【００２２】
宅間接続システムが、上述したような構成を備えることで、
接続要求端末１０の接続要求送信部１０１は、ゲートウェイ装置３１−２を介して、当該ゲートウェイ装置３１−２とアクセス情報記憶部が記憶するアクセス情報が示すゲートウェイ装置３１−１との接続を要求する接続要求を送信する。また、ゲートウェイ装置３１−１の接続要求受信部３１３は、接続要求を受信し、ゲートウェイ装置３１−１の接続要求判定部３１４は、接続要求が、接続要求サーバ装置２０によって生成されたものであるか否かを判定する。そして、ゲートウェイ装置３１−２の接続許可部３１５は、接続要求判定部３１４が、接続要求が接続要求サーバ装置２０によって生成されたものであると判定した場合に、当該接続要求が示すゲートウェイ装置３１−２との接続を許可する。以降、電子機器３２−２は、ゲートウェイ装置３１−１、３１−２を介して電子機器３２−１と通信することができる。
これにより、簡易に、かつ電子機器３２−２に認証情報を残さずに宅間接続を構築する。
【００２３】
次に、本実施形態による宅間接続システムの動作を説明する。
図３は、第１の実施形態による宅間接続システムの動作を示すシーケンス図である。
まず、ゲートウェイ装置３１間の接続要求を行う前に、ユーザは、接続要求端末１０に接続先となるゲートウェイ装置３１−１のアクセス情報を登録する。
ユーザが、接続要求端末１０をゲートウェイ装置３１−１に接続し、接続要求端末１０が備える接続先設定ボタン（図示せず）を押下すると、接続要求端末１０の設定要求送信部１０１は、接続要求サーバ装置２０宛ての接続先設定要求をゲートウェイ装置３１−１に送信する（ステップＳ１）。ゲートウェイ装置３１−１の転送部３１１が接続要求端末１０から接続先設定要求を受信すると、アクセス情報付加部３１２は、転送部３１１が受信した接続先設定要求に自装置のアクセス情報を付加する（ステップＳ２）。次に、転送部３１１は、接続先設定要求の宛先に基づいて、当該接続先設定要求を接続要求サーバ装置２０に転送する（ステップＳ３）。
【００２４】
接続要求サーバ装置２０の設定要求受信部２０１が、接続要求端末１０からの接続先設定要求を受信すると、接続先アクセス情報読出部２０２は、接続先設定要求から、当該接続先設定要求を仲介したゲートウェイ装置３１のアクセス情報を読み出す（ステップＳ４）。これにより、接続要求サーバ装置２０は、宅間接続の接続先として設定するゲートウェイ装置３１を特定する。次に、接続要求サーバ装置２０のアクセス情報送信部２０３は、接続先設定要求の応答として、接続先アクセス情報読出部２０２が読み出したアクセス情報を接続要求端末１０宛てとして、ゲートウェイ装置３１−１に送信する（ステップＳ５）。ゲートウェイ装置３１−１の転送部３１１は、接続要求サーバ装置２０からアクセス情報を受信し、当該アクセス情報の宛先に基づいて、接続要求端末１０に転送する（ステップＳ６）。
接続要求端末１０のアクセス情報取得部１０２が、ゲートウェイ装置３１−１からアクセス情報を受信すると、アクセス情報記録部１０３は、当該アクセス情報をアクセス情報記憶部１０４に記録する（ステップＳ７）。
【００２５】
上述した処理によって、接続要求端末１０内に、接続先となるゲートウェイ装置３１−１のアクセス情報を記憶させることで、ユーザは、ゲートウェイ装置３１間の接続要求を行うことができる。
ユーザが、接続要求端末１０をゲートウェイ装置３１−２に接続し、接続要求端末１０が備える接続要求ボタン（図示せず）を押下すると、接続要求端末１０の接続要求送信部１０５は、アクセス情報記憶部１０４からゲートウェイ装置３１−１のアクセス情報を読み出す（ステップＳ１１）。次に、接続要求送信部１０５は、読み出したアクセス情報を含む接続要求を、接続要求サーバ装置２０宛てとして、ゲートウェイ装置３１−２に送信する（ステップＳ１２）。ゲートウェイ装置３１−２の転送部３１１が接続要求端末１０から接続要求を受信すると、アクセス情報付加部３１２は、転送部３１１が受信した接続要求に自装置のアクセス情報を付加する（ステップＳ１３）。次に、転送部３１は、接続要求の宛先に基づいて、当該接続要求を接続要求サーバ装置２０に転送する（ステップＳ１４）。
【００２６】
接続要求サーバ装置２０の接続要求受信部２０４が、接続要求端末１０からの接続要求を受信すると、接続元アクセス情報読出部２０５は、接続要求から、当該接続要求を仲介したゲートウェイ装置３１のアクセス情報を読み出す。また、接続先アクセス情報読出部２０２は、接続要求から、接続先のゲートウェイ装置３１のアクセス情報を読み出す（ステップＳ１５）。これにより、接続要求サーバ装置２０は、宅間接続の接続元として設定するゲートウェイ装置３１、及び接続先として設定するゲートウェイ装置３１を特定する。
【００２７】
次に、接続要求サーバ装置２０の接続要求送信部２０６は、接続先アクセス情報読出部２０２、接続元アクセス情報読出部２０５が読み出したアクセス情報に基づいてゲートウェイ装置３１−１、３１−２に、宅間接続情報を含む接続要求を送信する（ステップＳ１６）。ここで、宅間接続情報は、接続先の機器のＩＰアドレス、ポート番号、パスワード情報のほか、宅間接続を構築する際に必要となる情報を含む。ゲートウェイ装置３１−１、３１−２の接続要求受信部３１３が、接続要求を受信すると、接続要求判定部３１４は、当該接続要求の送信元が接続要求サーバ装置２０であるか否かを判定する。接続要求判定部３１４が、接続要求の送信元が接続要求サーバ装置２０であると判定した場合、接続許可部３１５は、ゲートウェイ装置３１−１、３１−２同士の接続を許可し、接続要求に含まれる情報を元に接続処理を行い（ステップＳ１７）、宅間接続を構築する（ステップＳ１８）。
なお、接続要求判定部３１４は、接続要求の送信元が接続要求サーバ装置２０でないと判定した場合、不正な接続要求であると判定し、ステップＳ１７による接続処理を行わない。
【００２８】
このように、本実施形態によれば、接続要求端末１０は、接続先のゲートウェイ装置３１−１への接続に供するアクセス情報を記憶している。そして、接続要求端末１０は、当該アクセス情報を用いて、接続元のゲートウェイ装置３１−２と接続先のゲートウェイ装置３１−１との接続を要求する接続要求を生成する。また、接続先のゲートウェイ装置３１−１は、接続要求が宅間接続システムによって生成されたものである場合に、接続元のゲートウェイ装置３１−２との接続を許可する。これにより、接続元のゲートウェイ装置３１−２に接続された機器に対してアクセス情報の入力を行うことなく、接続元のゲートウェイ装置３１−２と接続先のゲートウェイ装置３１−２とを接続することができるため、簡易に、かつ接続元のゲートウェイ装置３１−２に接続された機器に認証情報を残さずに宅間接続を構築することができる。
【００２９】
なお、ゲートウェイ装置３１から接続要求端末に割り当てられるＩＰアドレスがプライベートＩＰアドレスであり、接続要求端末１０から公共通信網４０への情報送信時に、ゲートウェイ装置３１によってＮＡＰＴ（Ｎｅｔｗｏｒｋ  Ａｄｄｒｅｓｓ  ａｎｄ  Ｐｏｒｔ  Ｔｒａｎｓｌａｔｉｏｎ）またはＮＡＴ（Ｎｅｔｗｏｒｋ  Ａｄｄｒｅｓｓ  Ｔｒａｎｓｌａｔｉｏｎ）を行う場合、ＮＡＰＴ（ＮＡＴ）処理後の送信元ＩＰアドレスをそのままアクセス情報として用いるようにしても良い。
【００３０】
図４は、ゲートウェイ装置がＮＡＰＴ処理を実行する場合における宅間接続システムの動作を示すシーケンス図である。
ゲートウェイ装置３１−１は、ステップＳ１で接続先設定要求を受信すると、ＮＡＰＴ処理を行い（ステップＳ１０２）、本来の宛先である接続要求サーバ装置２０に接続先設定要求を転送する。そして、ステップＳ４で、接続要求サーバ装置２０の接続先アクセス情報読出部２０２は、接続先設定要求の送信元のＩＰアドレスを読み出し、当該ＩＰアドレスをアクセス情報として特定する。
同様に、ゲートウェイ装置３１−１は、ステップＳ１２で接続要求を受信すると、ＮＡＰＴ処理を行い（ステップＳ１１３）、本来の宛先である接続要求サーバ装置２０に接続要求を転送する。そして、ステップＳ１５で、接続要求サーバ装置２０の接続元アクセス情報読出部２０５は、接続要求の送信元のＩＰアドレスを読み出し、当該ＩＰアドレスをアクセス情報として特定する。
これにより、ゲートウェイ装置３１は、宅間接続システム専用のアクセス情報付加部３１２を備える必要が無い。そのため、宅間接続システムは、ＮＡＰＴ（ＮＡＴ）処理機能を有する汎用的なゲートウェイ装置を用いて構築することができる。
【００３１】
＜第２の実施形態＞
以下、図面を参照しながら本発明の第２の実施形態について詳しく説明する。
図５は、第２の実施形態による宅間接続システムの各装置の構成を示すブロック図である。
第２の実施形態による宅間接続システムは、不正な接続要求端末１０による宅間接続を防止するために、接続先設定時に、接続先のゲートウェイ装置１３１−１で接続先設定可否を判定する。
【００３２】
第２の実施形態の接続要求サーバ装置１２０は、第１の実施形態による接続要求サーバ装置２０に、さらに確認部２０７を備えるものである。
確認部２０７は、設定要求受信部２０１が接続先設定要求を受信した際に、ゲートウェイ装置１３１−１に対して接続先として設定して良いかの確認情報を送信する。また、確認部２０７は、ゲートウェイ装置１３１−１から確認情報に対する応答を受信し、当該応答に基づいて後の処理を決定する。
【００３３】
また、第２の実施形態のゲートウェイ装置１３１は、第１の実施形態によるゲートウェイ装置３１に、さらに可否応答部３１６を備えるものである。
可否応答部３１６は、接続要求サーバ装置１２０から確認情報を受信すると、自装置を接続先として設定して良いかの判定を行い、判定結果を応答として接続要求サーバ装置１２０に送信する。
【００３４】
次に、本実施形態による宅間接続システムの動作を説明する。
図６は、第２の実施形態による宅間接続システムの動作を示すシーケンス図である。
第１の実施形態と同様に、ゲートウェイ装置１３１間の接続要求を行う前に、ユーザは、接続要求端末１０に接続先となるゲートウェイ装置１３１−１のアクセス情報を登録する。
ユーザが、接続要求端末１０をゲートウェイ装置１３１−１に接続し、接続要求端末１０が備える接続先設定ボタン（図示せず）を押下すると、接続要求端末１０の設定要求送信部１０１は、接続要求サーバ装置１２０宛ての接続先設定要求をゲートウェイ装置１３１−１に送信する（ステップＳ１）。ゲートウェイ装置１３１−１の転送部３１１が接続要求端末１０から接続先設定要求を受信すると、アクセス情報付加部３１２は、転送部３１１が受信した接続先設定要求に自装置のアクセス情報を付加する（ステップＳ２）。次に、転送部３１は、接続先設定要求の宛先に基づいて、当該接続先設定要求を接続要求サーバ装置１２０に転送する（ステップＳ３）。
【００３５】
接続要求サーバ装置１２０の設定要求受信部２０１が、接続要求端末１０からの接続先設定要求を受信すると、接続先アクセス情報読出部２０２は、接続先設定要求から、当該接続先設定要求を仲介したゲートウェイ装置３１のアクセス情報を読み出す（ステップＳ４）。これにより、接続要求サーバ装置１２０は、宅間接続の接続先として設定するゲートウェイ装置１３１を特定する。次に、接続要求サーバ装置１２０の確認部２０７は、ゲートウェイ装置１３１−１に、接続先としての設定の可否を確認する確認情報を送信する（ステップＳ２０１）。
【００３６】
ゲートウェイ装置１３１−１の可否応答部３１６は、接続先としての設定の可否を判定する（ステップＳ２０２）。接続先としての設定の可否を判定方法としては、例えば、ゲートウェイ装置１３１−１に予め登録されたパスフレーズを、ゲートウェイ装置１３１−１上に備えられた入力インターフェース（図示せず）または接続要求端末１０から入力する方法や、ゲートウェイ装置１３１−１上に備えられたボタンを押下することで許可する方法などが挙げられる。
可否応答部３１６は、接続先としての設定の可否を判定すると、設定の可否を示す情報を、確認情報に対する応答として接続要求サーバ装置１２０に送信する（ステップＳ２０３）。
【００３７】
ゲートウェイ装置１３１−１から受信した応答が、接続先として設定することを許可する旨を示す場合、接続要求サーバ装置１２０のアクセス情報送信部２０３は、接続先設定要求の応答として、接続先アクセス情報読出部２０２が読み出したアクセス情報を接続要求端末１０宛てとして、ゲートウェイ装置１３１−１に送信する（ステップＳ５）。ゲートウェイ装置１３１−１の転送部３１１は、接続要求サーバ装置１２０からアクセス情報を受信し、当該アクセス情報の宛先に基づいて、接続要求端末１０に転送する（ステップＳ６）。
接続要求端末１０のアクセス情報取得部１０２が、ゲートウェイ装置１３１−１からアクセス情報を受信すると、アクセス情報記録部１０３は、当該アクセス情報をアクセス情報記憶部１０４に記録する（ステップＳ７）。
【００３８】
上述した処理によって、接続要求端末１０内に、接続先となるゲートウェイ装置１３１−１のアクセス情報を記憶させることで、ユーザは、ゲートウェイ装置１３１間の接続要求を行うことができる。なお、ゲートウェイ装置１３１−１から受信した応答が、接続先として設定することを拒否する旨を示す場合、以降の処理を実行しない。これにより、接続要求端末１０内に、接続先となるゲートウェイ装置１３１−１のアクセス情報が記憶されない。また、接続先としてゲートウェイ装置１３１−１を設定するときに、ゲートウェイ１３１−１の利用者のみが可能な方法で設定の可否を判断することができる。よって、本実施形態によれば、ゲートウェイ装置１３１は、不正な接続要求端末１０による宅間接続を防止することができる。
【００３９】
＜第３の実施形態＞
以下、図面を参照しながら本発明の第３の実施形態について詳しく説明する。
図７は、第３の実施形態による宅間接続システムの各装置の構成を示すブロック図である。
第３の実施形態による宅間接続システムは、第２の実施形態と同様に、不正な接続要求端末１０による宅間接続を防止するために、接続先設定時にゲートウェイ２３１−１において接続先設定可否を判定する。ただし、第２の実施の形態では接続要求サーバ１２０から可否判断のトリガを送出していたのに対し、第３の実施の形態では接続要求端末１０からの接続先設定要求をゲートウェイ装置２３１−１にて捕捉し可否判断を行うことで実現している。
【００４０】
また、第３の実施形態のゲートウェイ装置２３１は、第１の実施形態によるゲートウェイ装置３１に、さらに可否応答部３１７を備えるものである。
可否応答部３１７は、接続要求端末１０から接続先設定要求を受信すると、自装置を接続先として設定して良いかの判定を行い、判定結果を接続先設定要求に付加する。
【００４１】
第３の実施形態の接続要求サーバ装置２２０は、第１の実施形態による接続要求サーバ装置２０と、設定要求受信部２０１の動作が異なるものである。
設定要求受信部２０１は、ゲートウェイ装置２３１−１から接続先設定情報を受信し、当該接続先設定情報に含まれる、接続先として設定することを許可するか否かの判定結果を読み取り、当該判定結果に基づいて後の処理を決定する。
【００４２】
次に、本実施形態による宅間接続システムの動作を説明する。
図８は、第３の実施形態による宅間接続システムの動作を示すシーケンス図である。
第１の実施形態、第２の実施形態と同様に、ゲートウェイ装置２３１間の接続要求を行う前に、ユーザは、接続要求端末１０に接続先となるゲートウェイ装置２３１−１のアクセス情報を登録する。
ユーザが、接続要求端末１０をゲートウェイ装置２３１−１に接続し、接続要求端末１０が備える接続先設定ボタン（図示せず）を押下すると、接続要求端末１０の設定要求送信部１０１は、接続要求サーバ装置２２０宛ての接続先設定要求をゲートウェイ装置２３１−１に送信する（ステップＳ１）。ゲートウェイ装置２３１−１の転送部３１１が接続要求端末１０から接続先設定要求を受信すると、可否応答部３１７は、接続先としての設定の可否を判定する（ステップＳ３０１）。接続先としての設定の可否を判定方法としては、第２の実施形態のステップＳ２０２と同様の方法を用いると良い。
可否応答部３１７が、接続先として設定することを許可すると判定した場合、アクセス情報付加部３１２は、転送部３１１が受信した接続先設定要求に自装置のアクセス情報を付加する（ステップＳ２）。次に、転送部３１１は、接続先設定要求の宛先に基づいて、当該接続先設定要求を接続要求サーバ装置２２０に転送する（ステップＳ３）。
【００４３】
接続要求サーバ装置２２０の設定要求受信部２０１が、接続要求端末１０からの接続先設定要求を受信すると、接続先アクセス情報読出部２０２は、接続先設定要求から、当該接続先設定要求を仲介したゲートウェイ装置２３１のアクセス情報を読み出す（ステップＳ４）。これにより、接続要求サーバ装置２２０は、宅間接続の接続先として設定するゲートウェイ装置２３１を特定する。次に、接続要求サーバ装置２２０のアクセス情報送信部２０３は、接続先設定要求の応答として、接続先アクセス情報読出部２０２が読み出したアクセス情報を接続要求端末１０宛てとして、ゲートウェイ装置２３１−１に送信する（ステップＳ５）。ゲートウェイ装置２３１−１の転送部３１１は、接続要求サーバ装置２２０からアクセス情報を受信し、当該アクセス情報の宛先に基づいて、接続要求端末１０に転送する（ステップＳ６）。
接続要求端末１０のアクセス情報取得部１０２が、ゲートウェイ装置２３１−１からアクセス情報を受信すると、アクセス情報記録部１０３は、当該アクセス情報をアクセス情報記憶部１０４に記録する（ステップＳ７）。
【００４４】
上述した処理によって、接続要求端末１０内に、接続先となるゲートウェイ装置２３１−１のアクセス情報を記憶させることで、ユーザは、ゲートウェイ装置２３１間の接続要求を行うことができる。なお、ステップＳ３０１で、ゲートウェイ装置２３１−１の可否応答部３１７が、接続先として設定することを拒否すると判定した場合、転送部３１１は、接続先設定要求を接続要求サーバ装置２２０に転送しない。これにより、接続要求端末１０内に、接続先となるゲートウェイ装置２３１−１のアクセス情報が記憶されない。また、接続先としてゲートウェイ装置２３１−１を設定するときに、ゲートウェイ２３１−１の利用者のみが可能な方法で設定の可否を判断することができる。よって、本実施形態によれば、ゲートウェイ装置２３１は、不正な接続要求端末１０による宅間接続を防止することができる。
【００４５】
なお、本実施形態では、ゲートウェイ装置２３１−１による接続先設定要求の捕捉方法として、ゲートウェイ装置２３１−１が、自装置を通過するデータフレームの中身を逐次確認する方法を採用しているが、他の手法を用いて接続先設定要求を捕捉しても構わない。他の手法の一例としては、接続要求端末１０が接続先設定要求をゲートウェイ装置２３１−１宛に送信し、ゲートウェイ装置２３１−１が、当該接続先設定要求に可否情報とアクセス情報とを付加した新たな接続先設定要求を生成し、接続要求サーバ装置２２０に送信する手法、ゲートウェイ装置２３１−１が、自装置を通過するデータフレームの宛先およびポート番号を逐次確認する手法などが挙げられる。
【００４６】
＜第４の実施形態＞
以下、図面を参照しながら本発明の第４の実施形態について詳しく説明する。
図９は、第４の実施形態による宅間接続システムの各装置の構成を示すブロック図である。
第４の実施形態による宅間接続システムは、不正な接続要求端末１０による宅間接続を防止するために、接続要求時に、接続元のゲートウェイ装置３１−２で接続先設定可否を判定する。なお、本実施形態では、第１の実施形態による宅間接続システムに上記判定処理を追加した宅間接続システムについて説明するが、これに限られず、第２の実施形態や第３の実施形態による宅間接続システムに判定処理を追加しても同様の効果を得ることができる。
【００４７】
第４の実施形態の接続要求サーバ装置３２０は、第１の実施形態による接続要求サーバ装置２０に、さらに確認部２０８を備えるものである。
確認部２０８は、接続要求受信部２０４が接続要求を受信した際に、ゲートウェイ装置３３１−２に対して接続元として設定して良いかの確認情報を送信する。また、確認部２０８は、ゲートウェイ装置３３１−２から確認情報に対する応答を受信し、当該応答に基づいて後の処理を決定する。
【００４８】
また、第４の実施形態のゲートウェイ装置３３１は、第１の実施形態によるゲートウェイ装置３１に、さらに可否応答部３１８を備えるものである。
可否応答部３１８は、接続要求サーバ装置３２０から確認情報を受信すると、自装置を接続先として設定して良いかの判定を行い、判定結果を応答として接続要求サーバ装置３２０に送信する。
【００４９】
次に、本実施形態による宅間接続システムの動作を説明する。
図１０は、第４の実施形態による宅間接続システムの動作を示すシーケンス図である。
第１の実施形態と同様の方法によってゲートウェイ装置３３１−１のアクセス情報を記憶させた接続要求端末１０がユーザによってゲートウェイ装置３３１−２に接続され、ユーザが、接続要求端末１０が備える接続要求ボタン（図示せず）を押下すると、接続要求端末１０の接続要求送信部１０５は、アクセス情報記憶部１０４からゲートウェイ装置３３１−１のアクセス情報を読み出す（ステップＳ１１）。次に、接続要求送信部１０５は、読み出したアクセス情報を含む接続要求を、接続要求サーバ装置３２０宛てとして、ゲートウェイ装置３３１−２に送信する（ステップＳ１２）。ゲートウェイ装置３３１−２の転送部３１１が接続要求端末１０から接続要求を受信すると、アクセス情報付加部３１２は、転送部３１１が受信した接続要求に自装置のアクセス情報を付加する（ステップＳ１３）。次に、転送部３１１は、接続要求の宛先に基づいて、当該接続要求を接続要求サーバ装置３２０に転送する（ステップＳ１４）。
【００５０】
接続要求サーバ装置３２０の接続要求受信部２０４が、接続要求端末１０からの接続要求を受信すると、接続元アクセス情報読出部２０５は、接続要求から、当該接続要求を仲介したゲートウェイ装置３３１のアクセス情報を読み出す。また、接続先アクセス情報読出部２０２は、接続要求から、接続先のゲートウェイ装置３３１のアクセス情報を読み出す（ステップＳ１５）。これにより、接続要求サーバ装置２０は、宅間接続の接続元として設定するゲートウェイ装置３３１−２、及び接続先として設定するゲートウェイ装置３３１−１を特定する。次に、接続要求サーバ装置１２０の確認部２０７は、ゲートウェイ装置３３１−２に、接続元としての設定の可否を確認する確認情報を送信する（ステップＳ４０１）。
【００５１】
ゲートウェイ装置３３１−２の可否応答部３１８は、接続元としての設定の可否を判定する（ステップＳ４０２）。接続元としての設定の可否を判定方法としては、第２の実施形態で挙げた方法のほか、確認情報の受信時に、ゲートウェイ装置３３１−２が既に構築している宅間接続セッション数が一定数以下である場合に接続を許可する方法や、接続先のゲートウェイ情報３３１−１の情報を参照し、予め定められた条件に合致するか否かを判定する方法を用いることができる。
可否応答部３１８は、接続元としての設定の可否を判定すると、設定の可否を示す情報を、確認情報に対する応答として接続要求サーバ装置３２０に送信する（ステップＳ４０３）。
【００５２】
ゲートウェイ装置３３１−２から受信した応答が、接続元として設定することを許可する旨を示す場合、接続要求サーバ装置３２０の接続要求送信部２０６は、接続先アクセス情報読出部２０２、接続元アクセス情報読出部２０５が読み出したアクセス情報に基づいてゲートウェイ装置３３１−１、３３１−２に、宅間接続情報を含む接続要求を送信する（ステップＳ１６）。ゲートウェイ装置３３１−１、３３１−２の接続要求受信部３１３が、接続要求を受信すると、接続要求判定部３１４は、当該接続要求の送信元が接続要求サーバ装置３２０であるか否かを判定する。接続要求判定部３１４が、接続要求の送信元が接続要求サーバ装置３２０であると判定した場合、接続許可部３１５は、ゲートウェイ装置３３１−１、３３１−２同士の接続を許可し、接続要求に含まれる情報を元に接続処理を行い（ステップＳ１７）、宅間接続を構築する（ステップＳ１８）。
【００５３】
なお、接続要求判定部３１４は、接続要求の送信元が接続要求サーバ装置２０でないと判定した場合、不正な接続要求であると判定し、ステップＳ１７による接続処理を行わない。また、ゲートウェイ装置３３１−１から受信した応答が、接続元として設定することを拒否する旨を示す場合、以降の処理を実行しない。これにより、本実施形態によれば、ゲートウェイ装置１３１は、不正な接続要求端末１０による宅間接続を防止することができる。
【００５４】
なお、本実施形態では、ゲートウェイ装置３３１−２が、第２の実施形態と同様に、接続要求サーバ装置３２０からの確認情報の受信をトリガとして宅間接続の可否を判定する場合を説明したが、これに限られない。例えば、第３の実施形態と同様に、接続要求端末１０からの接続要求の受信をトリガとして宅間接続の可否を判定しても良い。
【００５５】
＜第５の実施形態＞
以下、図面を参照しながら本発明の第５の実施形態について詳しく説明する。
図１１は、第５の実施形態による宅間接続システムの各装置の構成を示すブロック図である。
第５の実施形態による宅間接続システムは、ゲートウェイ装置４３１のＩＰアドレスに変更が生じた場合においても宅間接続することができるように、ゲートウェイ装置４３１のＩＰアドレスに変更が生じた場合に、当該ＩＰアドレスを接続要求サーバ装置４２０に通知する。
【００５６】
第５の実施形態の接続要求サーバ装置４２０は、第１の実施形態による接続要求サーバ装置２０に、さらにゲートウェイ管理部２０９、アクセス情報記憶部２１０（接続先情報データベース）を備えるものである。また、第１の実施形態と接続先アクセス情報読出部２０２、接続元アクセス情報読出部２０５の動作が異なる。
ゲートウェイ管理部２０９は、ゲートウェイ装置４３１からアドレス情報を受信し、当該アドレス情報を、当該アドレス情報の通知元のゲートウェイ装置４３１のアクセス情報に関連付けて、アクセス情報記憶部２１０に登録または更新する。ここで、アドレス情報とは、ゲートウェイ装置４３１のネットワーク上の所在を示す情報であり、例えば、グローバルＩＰアドレスやＵＲＬ、ＵＲＩ等が挙げられる。また、本実施形態では、アクセス情報として、グローバルＩＰアドレス、ＵＲＬ、ＵＲＩ等のゲートウェイ装置４３１の電源のＯＮ／ＯＦＦによって変更され得る情報を用いず、ゲートウェイ装置４３１を一意に特定することができる情報を用いる。
【００５７】
図１２は、アクセス情報記憶部２１０が記憶する情報の一例を示す図である。
アクセス情報記憶部２１０は、図１２に示すように、ゲートウェイ装置４３１のアクセス情報に関連付けてアドレス情報を記憶する。図１２に示す例では、宅間接続サービスＩＤ（アクセス情報）、ゲートウェイ機器ＩＤ（アクセス情報）、ＩＰアドレス（アドレス情報）を関連付けて記憶する。ここで、宅間接続サービスＩＤは、アクセス情報として接続要求端末１０に設定される情報であり、接続要求のメッセージに含まれる。宅間接続サービスＩＤは、設定要求受信部２０１が接続先設定要求を受信する度に接続先アクセス情報読出部２０２が一意に生成するようにしても良い。
【００５８】
接続先アクセス情報読出部２０２、接続元アクセス情報読出部２０５は、接続要求からアクセス情報である宅間接続サービスＩＤを読み出した後、宅間接続サービスＩＤに関連付けられたＩＰアドレスをアクセス情報記憶部２１０から読み出し、当該ＩＰアドレスを接続要求送信部２０６に出力する。
【００５９】
また、第５の実施形態のゲートウェイ装置４３１は、第１の実施形態によるゲートウェイ装置３１に、さらにアドレス通知部３１９を備えるものである。
変更通知部３１９は、イベント発生により、自装置のＩＰアドレスを接続要求サーバ装置４２０に通知する。ここで、イベントとしては、ゲートウェイ装置４３１への電源投入や、ユーザによるアドレス通知ボタン（図示せず）の押下などが挙げられる。
【００６０】
また、近年は、ＢＢＦ（Ｂｒｏａｄｂａｎｄ  Ｆｏｒｕｍ）にて規定されたＴＲ−０６９  ＣＷＭＰ（ＣＰＥ−ＷＡＮ  Ｍａｎａｇｅｍｅｎｔ  Ｐｒｏｔｏｃｏｌ、ＣＰＥ：Ｃｕｓｔｏｍｅｒ  Ｐｒｅｍｉｓｅｓ  Ｅｑｕｉｐｍｅｎｔ、ＷＡＮ：Ｗｉｄｅ  Ａｒｅａ  Ｎｅｔｗｏｒｋ）対応のゲートウェイ装置が普及しつつある。ＴＲ−０６９の機能のひとつに、ゲートウェイ装置のＷＡＮ側ＩＰアドレスに変更が生じた場合にこれをＡＣＳ（Ａｕｔｏ  Ｃｏｎｆｉｇｕｒａｔｉｏｎ  Ｓｅｒｖｅｒ）に通知する機能がある。ゲートウェイ装置４３１がＴＲ−０６９の機能を有する場合、これを利用してアクセス情報記憶部２１０の更新を行うことも可能である。この場合、ＩＰアドレスの取得、ＩＰアドレスの変更が変更通知部３１９のトリガとなるイベントとなる。
【００６１】
次に、本実施形態による宅間接続システムの動作を説明する。
図１３は、第５の実施形態による宅間接続システムの動作を示す第１のシーケンス図である。
まず、ゲートウェイ装置４３１のアドレス情報を接続要求サーバ装置４２０に登録する際の動作を説明する。
ゲートウェイ装置４３１にイベントが発生すると（ステップＳ５０１）、ゲートウェイ装置４３１のアドレス通知部３１９は、接続要求サーバ装置４２０に自装置のＩＰアドレス及びゲートウェイ機器ＩＤを含むアドレス通知を送信する（ステップＳ５０２）。接続要求サーバ装置４２０のゲートウェイ管理部２０９は、ゲートウェイ装置４３１からアドレス通知を受信する。次に、ゲートウェイ管理部２０９は、アクセス情報記憶部２１０において当該アドレス通知に含まれるゲートウェイ機器ＩＤに関連付けられたＩＰアドレスを、アドレス通知に含まれるＩＰアドレスに書き換える（ステップＳ５０３）。また、アドレス通知に含まれるゲートウェイ機器ＩＤに関連付けられた情報がアクセス情報記憶部２１０に記録されていない場合、ゲートウェイ管理部２０９は、新たに宅間接続サービスＩＤを生成し、当該宅間接続サービスＩＤに関連付けて、アドレス通知に含まれるゲートウェイ機器ＩＤ及びＩＰアドレスを、アクセス情報記憶部２１０に記録する。このように、ゲートウェイ装置４３１にイベントが発生する度に、接続要求サーバ装置４２０のアクセス情報記憶部２１０が記憶するＩＰアドレスは最新のものに更新される。
【００６２】
次に、ゲートウェイ装置４３１間の接続要求を行う前に、ユーザは、接続要求端末１０に接続先となるゲートウェイ装置４３１−１のアクセス情報である宅間接続サービスＩＤを登録する。
ユーザが、接続要求端末１０をゲートウェイ装置４３１−１に接続し、接続要求端末１０が備える接続先設定ボタン（図示せず）を押下すると、接続要求端末１０の設定要求送信部１０１は、接続要求サーバ装置４２０宛ての接続先設定要求をゲートウェイ装置４３１−１に送信する（ステップＳ１）。ゲートウェイ装置４３１−１の転送部３１１が接続要求端末１０から接続先設定要求を受信すると、アクセス情報付加部３１２は、転送部３１１が受信した接続先設定要求に自装置のゲートウェイ機器ＩＤを付加する（ステップＳ２）。次に、転送部３１１は、接続先設定要求の宛先に基づいて、当該接続先設定要求を接続要求サーバ装置４２０に転送する（ステップＳ３）。
【００６３】
接続要求サーバ装置４２０の設定要求受信部２０１が、接続要求端末１０からの接続先設定要求を受信すると、接続先アクセス情報読出部２０２は、接続先設定要求から、当該接続先設定要求を仲介したゲートウェイ装置４３１のゲートウェイ機器ＩＤを読み出す。次に、接続先アクセス情報読出部２０２は、アクセス情報記憶部２１０から、当該ゲートウェイ機器ＩＤに関連付けられた宅間接続サービスＩＤを読み出す（ステップＳ４）。
次に、接続要求サーバ装置４２０のアクセス情報送信部２０３は、接続先設定要求の応答として、接続先アクセス情報読出部２０２が読み出した宅間接続サービスＩＤを含むアクセス情報を、接続要求端末１０宛てとして、ゲートウェイ装置４３１−１に送信する（ステップＳ５）。ゲートウェイ装置４３１−１の転送部３１１は、接続要求サーバ装置４２０からアクセス情報を受信し、当該アクセス情報の宛先に基づいて、接続要求端末１０に転送する（ステップＳ６）。
接続要求端末１０のアクセス情報取得部１０２が、ゲートウェイ装置４３１−１からアクセス情報を受信すると、アクセス情報記録部１０３は、当該アクセス情報から宅間接続サービスＩＤを読み出し、当該宅間接続サービスＩＤをアクセス情報記憶部１０４に記録する（ステップＳ７）。
【００６４】
図１４は、第５の実施形態による宅間接続システムの動作を示す第２のシーケンス図である。
上述した処理によって、接続要求端末１０内に、接続先となるゲートウェイ装置４３１−１の宅間接続サービスＩＤを記憶させることで、ユーザは、ゲートウェイ装置４３１間の接続要求を行うことができる。
ユーザが、接続要求端末１０をゲートウェイ装置４３１−２に接続し、接続要求端末１０が備える接続要求ボタン（図示せず）を押下すると、接続要求端末１０の接続要求送信部１０５は、アクセス情報記憶部１０４からゲートウェイ装置４３１−１の宅間接続サービスＩＤを読み出す（ステップＳ１１）。次に、接続要求送信部１０５は、読み出した宅間接続サービスＩＤを含む接続要求を、接続要求サーバ装置２０宛てとして、ゲートウェイ装置４３１−２に送信する（ステップＳ１２）。ゲートウェイ装置４３１−２の転送部３１１が接続要求端末１０から接続要求を受信すると、アクセス情報付加部３１２は、転送部３１１が受信した接続要求に自装置のゲートウェイ機器ＩＤを付加する（ステップＳ１３）。次に、転送部３１は、接続要求の宛先に基づいて、当該接続要求を接続要求サーバ装置２０に転送する（ステップＳ１４）。
【００６５】
接続要求サーバ装置２０の接続要求受信部２０４が、接続要求端末１０からの接続要求を受信すると、接続元アクセス情報読出部２０５は、接続要求から、当該接続要求を仲介したゲートウェイ装置４３１のゲートウェイ機器ＩＤを読み出す。また、接続先アクセス情報読出部２０２は、接続要求から、接続先のゲートウェイ装置４３１の宅間接続サービスＩＤを読み出す（ステップＳ１５）。これにより、接続要求サーバ装置２０は、宅間接続の接続元として設定するゲートウェイ装置４３１、及び接続先として設定するゲートウェイ装置４３１を特定する。
次に、接続元アクセス情報読出部２０５は、読み出したゲートウェイ機器ＩＤに関連付けられたＩＰアドレスをアクセス情報記憶部２１０から読み出す。また、接続先アクセス情報読出部２０２は、読み出した宅間接続サービスＩＤに関連付けられたＩＰアドレスをアクセス情報記憶部２１０から読み出す（ステップＳ５０４）。
【００６６】
次に、接続要求サーバ装置２０の接続要求送信部２０６は、接続先アクセス情報読出部２０２、接続元アクセス情報読出部２０５が読み出したＩＰアドレスに基づいてゲートウェイ装置４３１−１、４３１−２に、宅間接続情報を含む接続要求を送信する（ステップＳ１６）。ゲートウェイ装置４３１−１、４３１−２の接続要求受信部３１３が、接続要求を受信すると、接続要求判定部３１４は、当該接続要求の送信元が接続要求サーバ装置２０であるか否かを判定する。接続要求判定部３１４が、接続要求の送信元が接続要求サーバ装置４２０であると判定した場合、接続許可部３１５は、ゲートウェイ装置４３１−１、４３１−２同士の接続を許可し、接続要求に含まれる情報を元に接続処理を行い（ステップＳ１７）、宅間接続を構築する（ステップＳ１８）。
なお、接続要求判定部３１４は、接続要求の送信元が接続要求サーバ装置４２０でないと判定した場合、不正な接続要求であると判定し、ステップＳ１７による接続処理を行わない。
【００６７】
このように、本実施形態によれば、第５の実施の形態によれば、接続先設定後から宅間接続要求の間にゲートウェイ装置４３１−１のＩＰアドレスに変化が生じた場合においても、宅間接続を構築できる。すなわち、より多様な環境下において、宅間接続が可能となる。
【００６８】
なお、以上に示した第１から第５の実施の形態においては、接続要求サーバ装置にて公共通信網の側に必要となるすべての機能を備える構成としたが、これを複数のサーバ装置の組み合わせによって実現してもよい。接続要求サーバ装置の機能を複数のサーバ装置にて実現することで、耐障害性の向上、サーバ負荷の低減が見込まれる。
【００６９】
＜第６の実施形態＞
以下、図面を参照しながら本発明の第６の実施形態について詳しく説明する。
図１５は、第６の実施形態による宅間接続システムの各装置の構成を示すブロック図である。
第６の実施形態による宅間接続システムは、接続要求サーバ装置２０を用いずに、宅間接続を可能とするものであり、接続要求端末５１０、ゲートウェイ装置５３１−１、５３１−２を備える。
【００７０】
接続要求端末５１０は、アクセス情報要求部５１０１、アクセス情報取得部５１０２、アクセス情報記録部５１０３、アクセス情報記憶部５１０４、接続要求送信部５１０５を備える。
アクセス情報要求部５１０１は、接続先のゲートウェイ装置であるゲートウェイ装置５３１−１に、ゲートウェイ装置５３１−１のグローバルＩＰアドレスを要求するアクセス情報要求を送信する。
アクセス情報取得部５１０２は、ゲートウェイ装置５３１−１からゲートウェイ装置５３１−１のグローバルＩＰアドレスを取得する。
アクセス情報記録部５１０３は、アクセス情報取得部５１０２が取得したグローバルＩＰアドレスをアクセス情報記憶部５１０４に記録する。
アクセス情報記憶部５１０４は、グローバルＩＰアドレスを記憶する。
接続要求送信部５１０５は、ゲートウェイ装置５３１−２に、ゲートウェイ装置５３１−２との接続を要求する接続要求を送信する。当該接続要求は、アクセス情報記憶部１０４が記憶するグローバルＩＰアドレス、すなわちゲートウェイ装置５３１−１のグローバルＩＰアドレスと、接続要求端末５１０を特定する端末ＩＤとを含む。
また、接続要求送信部５１０５は、ゲートウェイ装置５３１−２を介してゲートウェイ装置５３１−１に、ゲートウェイ装置５３１−２との接続を要求する接続要求を送信する。当該接続要求は、接続要求端末５１０を特定する端末ＩＤを含む。また、当該接続要求には、ゲートウェイ装置５３１−２を介して送信されることで、ゲートウェイ装置５３１−２のグローバルＩＰアドレスが付与されることとなる。
【００７１】
ゲートウェイ装置５３１は、転送部５３１１、アクセス情報通知部５３１２、接続要求受信部５３１３、接続要求判定部５３１４、接続許可部５３１５を備える。
転送部５３１１は、接続要求端末５１０から公共通信網４０側に送信する情報を取得し、ＮＡＰＴ処理を行って、当該情報の転送を行う。
アクセス情報通知部５３１２は、接続要求端末５１０からアクセス情報要求を受信し、当該アクセス情報要求に対する応答として、接続要求端末５１０に自装置のグローバルＩＰアドレスを通知する。
接続要求受信部５３１３は、公共通信網４０を介して、他のゲートウェイ装置５３１との接続を要求する接続要求を受信する。
接続要求判定部５３１４は、接続要求受信部５３１３が受信した接続要求に含まれる端末ＩＤが接続要求端末５１０のものであるか否かを判定することで、接続要求が接続要求端末５１０によって生成されたものであるか否かを判定する。
接続許可部５３１５は、接続要求判定部５３１４が、接続要求が接続要求端末５１０によって生成されたものであると判定した場合に、当該接続要求が示すゲートウェイ装置５３１との接続を許可する。
【００７２】
次に、本実施形態による宅間接続システムの動作を説明する。
図１６は、第６の実施形態による宅間接続システムの動作を示すシーケンス図である。
まず、ゲートウェイ装置３１間の接続要求を行う前に、ユーザは、接続要求端末１０に接続先となるゲートウェイ装置３１−１のアクセス情報を登録する。
ユーザが、接続要求端末５１０をゲートウェイ装置５３１−１に接続し、接続要求端末１０が備える接続先設定ボタン（図示せず）を押下すると、接続要求端末５１０のアクセス情報要求部５１０１は、アクセス情報要求をゲートウェイ装置５３１−１に送信する（ステップＳ６０１）。ゲートウェイ装置５３１−１のアクセス情報通知部５３１２が接続要求端末５１０からアクセス情報要求を受信すると、アクセス情報通知部５３１２は、自装置のグローバルＩＰアドレスを接続要求端末５１０に送信する（ステップＳ６０２）。
接続要求端末５１０のアクセス情報取得部５１０２が、ゲートウェイ装置５３１−１からグローバルＩＰアドレスを受信すると、アクセス情報記録部１０３は、当該グローバルＩＰアドレスをアクセス情報記憶部５１０４に記録する（ステップＳ６０３）。
【００７３】
上述した処理によって、接続要求端末５１０内に、接続先となるゲートウェイ装置５３１−１のアクセス情報を記憶させることで、ユーザは、ゲートウェイ装置５３１間の接続要求を行うことができる。
ユーザが、接続要求端末５１０をゲートウェイ装置５３１−２に接続し、接続要求端末５１０が備える接続要求ボタン（図示せず）を押下すると、接続要求端末５１０の接続要求送信部５１０５は、アクセス情報記憶部５１０４からゲートウェイ装置５３１−１のグローバルＩＰアドレスを読み出す（ステップＳ６１１）。次に、接続要求送信部５１０５は、自装置の端末ＩＤを含む接続要求を、読み出したグローバルＩＰアドレスを宛先とし、ゲートウェイ装置５３１−２を介して公共通信網４０に送信する（ステップＳ６１２）。すなわち、接続要求端末５１０は、ゲートウェイ装置５３１−２を介して接続要求をゲートウェイ装置５３１−１に送信する。ゲートウェイ装置５３１−２の転送部５３１１は、接続要求端末１０から接続要求を受信すると、ＮＡＰＴ処理を行い（ステップＳ６１３）、本来の宛先であるゲートウェイ装置５３１−１に接続要求を転送する（ステップＳ６１４）。
【００７４】
ゲートウェイ装置５３１−２の接続要求受信部５３１３が、接続要求を受信すると、接続要求判定部３１４は、当該接続要求に含まれる端末ＩＤが接続要求端末５１０のものであるか否かを判定することで、当該接続要求が接続要求端末５１０によって生成されたものであるか否かを判定する。接続要求判定部３１４が、接続要求が接続要求端末５１０によって生成されたものであると判定した場合、接続許可部３１５は、接続要求の送信元のグローバルＩＰアドレスを読み出し、当該グローバルＩＰアドレスを有するゲートウェイ装置５３１との接続を許可する。
【００７５】
また、接続要求送信部５１０５は、ステップＳ６１１で読み出したグローバルＩＰアドレスと自装置の端末ＩＤとを含む接続要求を、ゲートウェイ装置５３１−２に送信する（ステップＳ６１５）。ゲートウェイ装置５３１−２の接続要求受信部５３１３が接続要求端末１０から接続要求を受信すると、接続要求判定部３１４は、当該接続要求に含まれる端末ＩＤが接続要求端末５１０のものであるか否かを判定することで、当該接続要求が接続要求端末５１０によって生成されたものであるか否かを判定する。接続要求判定部３１４が、接続要求が接続要求端末５１０によって生成されたものであると判定した場合、接続許可部３１５は、接続要求に含まれるグローバルＩＰアドレスを読み出し、当該グローバルＩＰアドレスを有するゲートウェイ装置５３１との接続を許可する。
【００７６】
これにより、ゲートウェイ装置５３１−１、５３１−２は、互いに接続を許可することとなり、ゲートウェイ装置５３１−１、５３１−２の接続許可部５３１５は、接続要求に含まれる情報を元に接続処理を行い（ステップＳ６１６）、宅間接続を構築する（ステップＳ６１７）。
なお、接続要求判定部５３１４は、接続要求が接続要求端末５１０によって生成されたものでないと判定した場合、不正な接続要求であると判定し、ステップＳ６１６による接続処理を行わない。
【００７７】
このように、本実施形態によれば、接続要求端末１０は、第１の実施形態に示す接続要求サーバ装置２０を用いずに、接続元のゲートウェイ装置３１−２と接続先のゲートウェイ装置３１−２とを接続することができる。そのため、簡易な構成によって、接続元のゲートウェイ装置３１−２に接続された機器に認証情報を残さずに宅間接続を構築することができる。
【００７８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００７９】
上述の接続要求端末１０、５１０、接続要求サーバ装置２０、１２０、２２０、３２０、４２０、ゲートウェイ装置３１、１３１、２３１、３３１、４３１、５３１は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００８０】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００８１】
（付記１）前記接続先ゲートウェイ装置及び／または前記接続元ゲートウェイ装置は、前記宅間接続要求端末によるアクセスに対する認証を行い、認証に成功した場合に、前記宅間接続要求端末によるアクセスを許可するアクセス認証部を備えることを特徴とする請求項１から請求項６の何れか１項に記載の宅間接続システム。
【００８２】
（付記２）前記接続先ゲートウェイ装置及び／または前記接続元ゲートウェイ装置のアドレス通知部は、自装置に割り当てられたアドレス情報に変更が生じる度に、当該アドレス情報を前記接続要求サーバ装置に通知することを特徴とする請求項６に記載の宅間接続システム。
【００８３】
（付記３）前記接続要求サーバ装置のゲートウェイ管理部、並びに前記接続先ゲートウェイ装置及び／または前記接続元ゲートウェイ装置のアドレス通知部は、Ｂｒｏａｄｂａｎｄ  Ｆｏｒｕｍで規定されているＴＲ−０６９プロトコルに従い動作することを特徴とする付記２に記載の宅間接続システム。
【００８４】
（付記４）前記アクセス情報は、前記接続先ゲートウェイ装置及び／または前記接続元ゲートウェイ装置に付与されたグローバルＩＰアドレスであり、前記接続先ゲートウェイ装置及び／または前記接続元ゲートウェイ装置は、前記接続要求システムとの通信時にＮＡＴ処理もしくはＮＡＰＴ処理を施すことを特徴とする請求項１から請求項６の何れか１項、または付記１から付記３のいずれかに記載の宅間接続システム。
【００８５】
（付記５）前記アクセス情報は、前記接続先ゲートウェイ装置及び／または前記接続元ゲートウェイ装置のＩＰｖ６ネットワークプレフィクスであることを特徴とする請求項１から請求項６の何れか１項に記載の宅間接続システム。
【００８６】
（付記６）前記アクセス情報は、前記接続先ゲートウェイ装置及び／または前記接続元ゲートウェイ装置に割り当てられたＵＲＬ、ＵＲＩ、自装置の製造ベンダ情報、製品コード、シリアル番号のうち、１つまたは複数の組み合わせであり、前記アドレス情報は、前記接続先ゲートウェイ装置及び／または前記接続元ゲートウェイ装置に割り当てられたグローバルＩＰアドレスであることを特徴とする請求項５または請求項６に記載の宅間接続システム。
【符号の説明】
【００８７】
１０、５１０…接続要求端末  ２０、１２０、２２０、３２０、４２０、５２０…接続要求サーバ装置  ３０、３０−１、３０−２…ホームネットワーク、３１、３１−１、３１−２、１３１、１３１−１、１３１−２、２３１、２３１−１、２３１−２、３３１、３３１−１、３３１−２、４３１、４３１−１、４３１−２、５３１、５３１−１、５３１−２…ゲートウェイ装置  ３２、３２−１、３２−２…電子機器  １０１…設定要求送信部  １０２、５１０２…アクセス情報取得部  １０３、５１０３…アクセス情報記録部  １０４、５１０４…アクセス情報記憶部  １０５、５１０５…接続要求送信部  ２０１…設定要求受信部  ２０２…接続先アクセス情報読出部  ２０３…アクセス情報送信部  ２０４…接続要求受信部  ２０５…接続元アクセス情報読出部  ２０６…接続要求送信部  ２０７、２０８…確認部  ２０９…ゲートウェイ管理部  ２１０…アクセス情報記憶部  ３１１、５３１１…転送部  ３１２…アクセス情報付加部  ３１３、５３１３…接続要求受信部  ３１４、５３１４…接続要求判定部  ３１５、５３１５…接続許可部  ３１６、３１７、３１８…可否応答部  ３１９…アドレス通知部  ５１０１…アクセス情報要求部  ５３１２…アクセス情報通知部
【図１】
2012010291.tif 000003
【図２】
2012010291.tif 000004
【図３】
2012010291.tif 000005
【図４】
2012010291.tif 000006
【図５】
2012010291.tif 000007
【図６】
2012010291.tif 000008
【図７】
2012010291.tif 000009
【図８】
2012010291.tif 000010
【図９】
2012010291.tif 000011
【図１０】
2012010291.tif 000012
【図１１】
2012010291.tif 000013
【図１２】
2012010291.tif 000014
【図１３】
2012010291.tif 000015
【図１４】
2012010291.tif 000016
【図１５】
2012010291.tif 000017
【図１６】
2012010291.tif 000018